(57)【要約】【課題】  始動チャッカーへの導入タイミングを逸した遊技球であっても該チャッカーへの入球に対する期待感を持続させ得るようにした遊技機を提供する。【解決手段】  パチンコ機１は、遊技盤面部７左右の一側にワープ導入口１７を有し、かつ主にワープ導入口１７からの遊技球Ｂａを受ける遊技球ステージＳを有するステージユニット６と、遊技球ステージＳの下方に位置する始動チャッカー１０とを備え、発射された遊技球Ｂａを始動チャッカー１０に、遊技球ステージＳを介して入球させ又は遊技球ステージＳを介さず直接に入球させ得るように構成される。遊技球ステージＳは、遊技盤面部７に打ち出された遊技球Ｂａを始動チャッカー１０に比較的高確率で入球させ得る始動チャッカー導入口２０を有する第１入球ルートと、該導入口２０に導入されず第１入球ルートを通過した遊技球Ｂａを受けて始動チャッカー１０への入球を再度行い得る第２入球ルートとを備える。【選択図】      図２
2005237786.tif 000002
【特許請求の範囲】
【請求項１】
遊技盤面部左右の少なくとも一側にワープ導入口を有し、かつ主に該ワープ導入口からの遊技球を受ける遊技球ステージを有するステージユニットと、前記遊技球ステージの下方に位置して上方に開口する始動チャッカーと、を備え、前記遊技盤面部に打ち出された遊技球を前記始動チャッカーに、前記遊技球ステージを介して入球させ又は前記遊技球ステージを介さず直接に入球させ得るように構成した遊技機であって、
前記遊技球ステージは、
前記遊技盤面部に打ち出された遊技球を前記始動チャッカーに比較的高確率で入球させ得る始動チャッカー導入口を有する第１入球ルートと、
前記始動チャッカー導入口に導入されず前記第１入球ルートを通過した遊技球を受けて前記始動チャッカーへの入球を再度行い得る第２入球ルートと、を備えてなる、
ことを特徴とする遊技機。
【請求項２】
前記第１入球ルートは、前記遊技盤面部との相対移動を規制された第１固定ステージ部を備え、
前記第２入球ルートは、前記第１固定ステージ部の前方側に所定の段差を有して隣接する第２固定ステージ部と、前記第１固定ステージ部の下方に設けられた空間と前記第２固定ステージ部上面との間を進退移動する移動ステージ部と、を備え、
前記移動ステージ部は、前記第２固定ステージ部上面から前記第１固定ステージ部下方の前記空間内に一旦退避したとき前記第２固定ステージ部上面に移動した遊技球を、前記空間内から前記第２固定ステージ部上面への進出時に前記始動チャッカー側に押し出してなる、
ことを特徴とする請求項１に記載の遊技機。
【請求項３】
前記第２入球ルートは更に、前記移動ステージと一体的に移動するように構成され、かつ前記第２固定ステージ部上面に進出する前記移動ステージ部によって前記始動チャッカー側に押し出された遊技球を一旦保持し前記始動チャッカーに比較的高確率で入球させ得る入球案内部を備えてなる、
ことを特徴とする請求項２に記載の遊技機。
【請求項４】
前記移動ステージ部を進退駆動させるステージ駆動手段と、
前記ステージ駆動手段による前記移動ステージ部の移動速度を調整し得る速度調整手段と、を備えてなる、
ことを特徴とする請求項３に記載の遊技機。
【請求項５】
前記ステージ駆動手段はパルスモータを備え、かつ、
前記速度調整手段は、前記パルスモータの回転角度を検出する機能を更に備えると共に、前記パルスモータの回転角度の検出に基づき、前記移動ステージ部を前記第２固定ステージ部上に最も進出したとき一旦停止させてなる、
ことを特徴とする請求項４に記載の遊技機。
【請求項６】
前記ステージ駆動手段は、前記移動ステージ部の遊技機前後方向でのスライド移動を案内するスライド機構を備え、
前記スライド機構は、前記移動ステージ部のスライド移動を支持するスライド支持軸を備え、
前記スライド支持軸は、金属材料によって構成されてなる、
ことを特徴とする請求項４又は５に記載の遊技機。
【請求項７】
前記第１入球ルートは、前記始動チャッカーの直上方に位置して、前記始動チャッカー導入口から導入されて落下する遊技球を前記始動チャッカーに向けて放出する球放出口を備え、
前記始動チャッカー導入口と前記球放出口との間の球案内路の内面には、前記始動チャッカー導入口から導入されて前記球放出口に移動する遊技球の速度を低減させる障害凸部が形成されている、
ことを特徴とする請求項１ないし６のうち何れか１項に記載の遊技機。
【請求項８】
前記移動ステージ部及び前記第２固定ステージ部は夫々、前記第１固定ステージ部から最も離れた縁部に、遊技球の移動に規制を加えるリブ部を備え、
前記双方のリブ部における前記第１固定ステージ部側に向いた裏面は、該第１固定ステージ部に向かって下方に傾斜するように形成されてなる、
ことを特徴とする請求項１ないし７のうち何れか１項に記載の遊技機。
【発明の詳細な説明】
【技術分野】
【０００１】
本発明は、パチンコ機等の遊技機に関し、詳しくは遊技球ステージから始動チャッカーに向けた遊技球の流れを改善して遊技性に幅を持たせた遊技機に関する。
【背景技術】
【０００２】
一般に、遊技機、例えばパチンコ機として、球受け皿に滞留している遊技球が、発射ハンドルの操作に応じて遊技盤上に打ち出された後、遊技盤面上の障害釘や風車等に導かれつつ盤面を流下して、各種入賞口に入球し、或いは入球せずに遊技盤下部のアウト口に流入するように構成されたものが知られている（例えば、特許文献１参照）。
【０００３】
このようなパチンコ機では、一般入賞口に入球した際にそれに対応した個数の遊技球が払い出され、また始動チャッカーに入球した際にはこれに基づいて大当たり抽選が行われると共に所定数の遊技球が払い出され、当該抽選の結果に応じて、遊技盤の中央部分に設けられた液晶等からなる特別図柄表示画面上で所定の演出表示が行われる。大当たりの発生時には、アタッカーと呼ばれる大入賞口が開放し、入球に対応して多量の遊技球が払い出される状態となる。
【０００４】
上述のような従来のパチンコ機において、遊技盤面部の中央部分に固定されたセンター飾りを備え、このセンター飾りの左右側部に第１及び第２のワープ通路を備え、これらワープ通路から入球した遊技球を始動チャッカー側に導くように転動させるステージを備えたものが存在する（例えば、特許文献２参照）。
【０００５】
【特許文献１】特開２００３−２３６２１０号公報
【特許文献２】特開２００１−３２７６７２号公報
【発明の開示】
【発明が解決しようとする課題】
【０００６】
ところで、上述のようなステージを有するパチンコ機にあっては、近年、当該ステージにおける所定の位置に球導入口を形成しておき、ワープ通路から入球した遊技球の一部が上記球導入口への対応位置に偶然的に転動して該球導入口に落下した際、当該遊技球を略１００％の確率で始動チャッカーに入球し得るように案内する構成を備えたものも存在している。しかし、このような構成のものにあって、上記球導入口に落下せずにステージ上を転動する遊技球は始動チャッカーに入球する可能性が激減するため、この遊技球を視認しながら遊技している遊技者にとって、当該遊技球への始動チャッカー入球に対する期待感は消失することが多く、従って、当該期待感を持続して遊技性をより高めることが切望される。
【０００７】
そこで本発明は、遊技球ステージ上で始動チャッカーへの導入タイミングを逸した遊技球であっても始動チャッカーへの入球に対する期待感を持続させて遊技性を向上し得るように構成し、もって上述した課題を解決した遊技機を提供することを目的とするものである。
【課題を解決するための手段】
【０００８】
請求項１に係る本発明は（例えば図１ないし図１９参照）、遊技盤面部（７）左右の少なくとも一側にワープ導入口（１７）を有し、かつ主に該ワープ導入口（１７）からの遊技球（Ｂａ）を受ける遊技球ステージ（Ｓ）を有するステージユニット（６）と、前記遊技球ステージ（６）の下方に位置して上方に開口する始動チャッカー（１０）と、を備え、前記遊技盤面部（７）に打ち出された遊技球（Ｂａ）を前記始動チャッカー（１０）に、前記遊技球ステージ（Ｓ）を介して入球させ又は前記遊技球ステージ（Ｓ）を介さず直接に入球させ得るように構成した遊技機（１）であって、
前記遊技球ステージ（Ｓ）は、
前記遊技盤面部（７）に打ち出された遊技球（Ｂａ）を前記始動チャッカー（１０）に比較的高確率で入球させ得る始動チャッカー導入口（２０）を有する第１入球ルートと、
前記始動チャッカー導入口（２０）に導入されず前記第１入球ルートを通過した遊技球（Ｂａ）を受けて前記始動チャッカー（１０）への入球を再度行い得る第２入球ルートと、を備えてなる、
ことを特徴とする遊技機（１）にある。
【０００９】
請求項２に係る本発明（例えば図１及び図１９参照）は、前記第１入球ルートが、前記遊技盤面部（７）との相対移動を規制された第１固定ステージ部（２１）を備え、
前記第２入球ルートは、前記第１固定ステージ部（２１）の前方側に所定の段差を有して隣接する第２固定ステージ部（３５）と、前記第１固定ステージ部（２１）の下方に設けられた空間（ｓｐ）と前記第２固定ステージ部（３５）上面との間を進退移動する移動ステージ部（２５）と、を備え、
前記移動ステージ部（２５）は、前記第２固定ステージ部（３５）上面から前記第１固定ステージ部（２１）下方の前記空間（ｓｐ）内に一旦退避したとき前記第２固定ステージ部（３５）上面に移動した遊技球（Ｂａ）を、前記空間（ｓｐ）内から前記第２固定ステージ部（３５）上面への進出時に前記始動チャッカー（１０）側に押し出してなる、
ことを特徴とする請求項１に記載の遊技機（１）にある。
【００１０】
請求項３に係る本発明（例えば図３及び図４参照）は、前記第２入球ルートが更に、前記移動ステージ（２５）と一体的に移動するように構成され、かつ前記第２固定ステージ部（３５）上面に進出する前記移動ステージ部（２５）によって前記始動チャッカー（１０）側に押し出された遊技球（Ｂａ）を一旦保持し前記始動チャッカー（１０）に比較的高確率で入球させ得る入球案内部（２６）を備えてなる、
ことを特徴とする請求項２に記載の遊技機（１）にある。
【００１１】
請求項４に係る本発明（例えば図６及び図７参照）は、前記移動ステージ部（２５）を進退駆動させるステージ駆動手段（４３）と、
前記ステージ駆動手段（４３）による前記移動ステージ部（２５）の移動速度を調整し得る速度調整手段（４５）と、を備えてなる、
ことを特徴とする請求項３に記載の遊技機（１）にある。
【００１２】
請求項５に係る本発明（例えば図６及び図７参照）は、前記ステージ駆動手段（４３）がパルスモータ（３７）を備え、かつ、
前記速度調整手段（４５）が、前記パルスモータ（３７）の回転角度を検出する機能を更に備えると共に、前記パルスモータ（３７）の回転角度の検出に基づき、前記移動ステージ部（２５）を前記第２固定ステージ部（３５）上に最も進出したとき一旦停止させてなる、
ことを特徴とする請求項４に記載の遊技機（１）にある。
【００１３】
請求項６に係る本発明（例えば図７参照）は、前記ステージ駆動手段（４３）が、前記移動ステージ部（２５）の遊技機前後方向でのスライド移動を案内するスライド機構（４１）を備え、
前記スライド機構（４１）が、前記移動ステージ部（２５）のスライド移動を支持するスライド支持軸（４０）を備え、
前記スライド支持軸（４１）は、金属材料によって構成されてなる、
ことを特徴とする請求項４又は５に記載の遊技機（１）にある。
【００１４】
請求項７に係る本発明（例えば図３，図４，図１０，図１２及び図１３参照）は、前記第１入球ルートが、前記始動チャッカー（１０）の直上方に位置して、前記始動チャッカー導入口（２０）から導入されて落下する遊技球（Ｂａ）を前記始動チャッカー（１０）に向けて放出する球放出口（２７）を備え、
前記始動チャッカー導入口（２０）と前記球放出口（２７）との間の球案内路（２０ａ）の内面には、前記始動チャッカー導入口（２０）から導入されて前記球放出口（２７）に移動する遊技球（Ｂａ）の速度を低減させる障害凸部（４６）が形成されている、
ことを特徴とする請求項１ないし６のうち何れか１項に記載の遊技機（１）にある。
【００１５】
請求項８に係る本発明（例えば図３，図４及び図１２参照）は、前記移動ステージ部（２５）及び前記第２固定ステージ部（３５）が夫々、前記第１固定ステージ部（２１）から最も離れた縁部に、遊技球（Ｂａ）の移動に規制を加えるリブ部（２５ｃ，３５ｃ）を備え、
前記双方のリブ部（２５ｃ，３５ｃ）における前記第１固定ステージ部（２１）側に向いた裏面は、該第１固定ステージ部（２１）に向かって下方に傾斜するように形成されてなる、
ことを特徴とする請求項１ないし７のうち何れか１項に記載の遊技機（１）にある。
【００１６】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１７】
請求項１に係る本発明によると、遊技球ステージが、遊技盤面部に打ち出された遊技球を始動チャッカーに比較的高確率で入球させ得る始動チャッカー導入口を有する第１入球ルートと、始動チャッカー導入口に導入されず第１入球ルートを通過した遊技球を受けて始動チャッカーへの入球を再度行い得る第２入球ルートとを備えるので、たとえ第１入球ルートで始動チャッカー導入口に入球できなかったとしても、その遊技球の始動チャッカーへの入球を、第２入球ルートを介して再度試みることができる。従って、ステージ上で始動チャッカーへの導入タイミングを逸した遊技球であっても始動チャッカーへの入球に対する期待感を持続させ、遊技性を向上させることができる。
【００１８】
請求項２に係る本発明によると、第１入球ルートにおいて第１固定ステージ部からその前方側の第２固定ステージ部に落下した遊技球を、第１固定ステージ部下方の空間内から第２固定ステージ部上面に進出する移動ステージ部によって始動チャッカー側に押し出すことができ、これにより、第１入球ルートから第２入球ルートへの遊技球の移動状況に適宜変化を与えて、遊技性を高めることができる。
【００１９】
請求項３に係る本発明によると、第２入球ルートが、移動ステージと一体的に移動するように構成され、かつ第２固定ステージ部上面に進出する移動ステージ部によって始動チャッカー側に押し出された遊技球を一旦保持し始動チャッカーに比較的高確率で入球させ得る入球案内部を備えるので、第１入球ルートにて始動チャッカーへの導入チャンスを逸した遊技球を、第２入球ルートにおける入球案内部により比較的高確率で始動チャッカーに再度導き、当該遊技球の始動チャッカーに対する入球の期待感を繰り返し遊技者に与えることができ、遊技性をより高めることができる。
【００２０】
請求項４に係る本発明によると、速度調整手段によって、移動ステージ部を進退駆動させるステージ駆動手段による移動ステージ部の移動速度を調整し得るので、例えば、出荷に向けた遊技機の製作時に、速度調整手段による移動ステージ部の移動速度を適切に調整することにより、入球案内部に対する遊技球案内時の振り分け率を適宜変化させて、遊技性を高めることができる。
【００２１】
請求項５に係る本発明によると、速度調整手段が、パルスモータの回転角度の検出に基づき、移動ステージ部の位置を認識しながら該移動ステージ部を第２固定ステージ部上に最も進出したとき一旦停止させることができるので、移動ステージ部を同じ周期で単に進退させる場合に比して、より変化に富んだ遊技球ステージ上での遊技球の流れを提供することができる。
【００２２】
請求項６に係る本発明によると、スライド機構のスライド支持軸が金属材料からなるので、例えば、スライド支持軸が寸法精度を出しにくいプラスチック製からなる場合に比して公差をより小さくすることができ、従って、移動ステージ部のスライド移動時のガタを大幅に減少させることができる。
【００２３】
請求項７に係る本発明によると、第１入球ルートにて始動チャッカー導入口に遊技球が導入された際、球案内路の内面の障害凸部に当該遊技球を接触させつつ落下させて、球放出口に移動する遊技球の速度を低減させることができるので、遊技球をその速度を適度に抑えつつ球放出口から始動チャッカーに向けて放出することができる。
【００２４】
請求項８に係る本発明によると、第１固定ステージ部から最も離れた縁部に位置するリブ部の第１固定ステージ部側に向いた裏面が、該第１固定ステージ部に向かって下方に傾斜するように形成されているので、遊技球を乗せた状態で移動ステージ部が進退移動する際に、当該移動ステージ部上や第２固定ステージ部の遊技球をリブ部との間に噛み込んで移動ステージ部が動作できなくなるような不具合の発生を確実に防止することができる。
【発明を実施するための最良の形態】
【００２５】
以下、本発明に係る遊技機の実施形態として、遊技場等に設置されるパチンコ機を図１ないし図１９に沿って説明する。
【００２６】
なお、図１は本パチンコ機の外部構造を示す正面図、図２は遊技球ステージを有するステージユニット（センター飾り）を単体で示す斜視図、図３はステージユニットの遊技球ステージ及びその近傍を示す一部断面した斜視図、図４は遊技球ステージ及びその近傍を別の状態で示す一部断面した斜視図、図５は遊技球ステージ及びその近傍を示す一部断面した平面図、図６は遊技球ステージ及びその近傍の内部構造を露出状態で示した斜視図、図７は遊技球ステージを底面側から見た状態で示す底面図、図８は遊技球ステージの中央部分を示す縦断面図、図９は遊技球ステージを示す正面図、図１０は遊技球ステージの中央部分を示す縦断面図、図１１は遊技球ステージを示す正面図、図１２及び図１３は遊技球ステージの中央部分を示す縦断面図、図１４及び図１５は遊技球ステージを一部破断して示す正面図、図１６及び図１７は遊技球ステージにおける遊技球の動きの変化を示す平面図、図１８は遊技球ステージを上側から見た状態で遊技球の動き（所謂ブリッジ現象の発生）を示す平面図、図１９は遊技球ステージを上側から見た状態で遊技球の動き（所謂ブリッジ現象の解消）を示す平面図である。
【００２７】
本パチンコ機１は、後述の発射ハンドル９の操作による発射装置（図示せず）の作動で遊技球を遊技盤面部７上に打ち出しつつ遊技を行うもので、所謂確率変動等の大当たりが発生した状態でアタッカー（大入賞口）１１（図１参照）に入球した遊技球に対応する数の遊技球を払い出すように構成されている。上記確率変動（確変当たり）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２８】
図１に示すように、本パチンコ機１は、枠体状の筐体２と、筐体２に開閉可能に装着された前扉３とを有しており、前扉３の前面には、透明ガラス（図示せず）を有するガラス枠５が開閉可能に取付けられており、透明ガラスの奥側には遊技盤面部７が配置されている。ガラス枠５における遊技盤面部７の左右及び上部には演出用照明装置２３が配置されており、前扉３における上部左右及び下部には夫々、スピーカ（図示せず）を有する放音装置８が配置されている。また、ガラス枠５における中央部右方には、前扉３を筐体２側に施錠又は解放するための施錠装置４が配置されている。なお、図１中の符号４９は、不図示の発射装置によって打ち出された遊技球を遊技盤面部７側に案内するガイドレールを示している。
【００２９】
前扉３における下部中央には皿ユニット１３が設けられており、皿ユニット１３における右上部には、賞球及び貸球を含む遊技球が供給される球供給口１８が設けられ、皿ユニット１３における左上部壁面には、球貸ボタン１４ａ及びプリベートカード返却ボタン１４ｂが設けられている。皿ユニット１３の中央部には、該皿ユニット１３上の遊技球を球発射装置（図示せず）付近から皿ユニット下部の球排出口（図示せず）を通して下方に排出するための第１球抜きボタン２２ａと、皿ユニット１３上の遊技球を球供給口１８付近から上記球排出口を通して下方に排出するための第２球抜きボタン２２ｂとが配置されている。また、前扉３における皿ユニット１３の右側下方には、上記球発射装置を操作して遊技球を遊技盤面部７に向けて打ち出すための発射ハンドル９が設けられている。更に、皿ユニット１３の下部左方には、灰皿２４とチャンスボタン４７とが配置されている。
【００３０】
上記遊技盤面部７の略中央部には、遊技球ステージＳを有するステージユニット６と、遊技球ステージＳの下方に位置して上方に開口する始動チャッカー１０とが配置されている。この始動チャッカー１０に入球した際、不図示の主制御基板（主基板）に実装されたＲＯＭ装置の抽選機能による当たり抽選が行われる。上記遊技球ステージＳは、遊技盤面部７の左側中央部にワープ導入口１７を具備して、主に該ワープ導入口１７からの遊技球を受けるように構成されている。ステージユニット６は、遊技球ステージＳの上部に開口部１６ａを有しており、この開口部１６ａには、遊技盤面部７にその背面側から装着された液晶表示パネル（図柄表示装置）５１が露出している。
【００３１】
また、始動チャッカー１０の左右には通常入球口１５が配置され、かつ始動チャッカー１０の下方には、上記アタッカー１１が配置されている。そして、これら始動チャッカー１０、通常入球口１５及び始動チャッカー１０の周囲の遊技盤面上には、遊技球ステージＳから零れた遊技球や、発射されてから遊技球ステージＳに関与せずに落下してくる遊技球を適宜散らし、或いは入球に導くようにするための多数の障害釘（図示せず）が打ち込まれている。また、ワープ導入口１７の周囲及びその上方側にも、遊技球を適宜散らし、或いは入球に導くようにするための多数の障害釘（図示せず）が打ち込まれている。なお、図中の符号１２は、遊技盤面部７上における入球可能な何れの箇所にも入球し得なかった遊技球Ｂａを遊技盤面部７裏面側に排出する球排出口を示している。このような本パチンコ機１では、遊技盤面部７に打ち出された遊技球Ｂａを始動チャッカー１０等に、遊技球ステージＳを介して入球させ又は遊技球ステージＳを介さず直接に入球させ得るように遊技が進められる。
【００３２】
そしてステージユニット６は、図２に示すように、全体的に略筒状を呈しており、外周縁部の複数箇所に設けられたブラケット部２９，３０に夫々穿設された貫通孔２８に挿通されたネジ（図示せず）により、遊技盤面部７に固定されている。ステージユニット６における遊技球ステージＳは、左右方向に平坦状に延在して開口部１６ａの下側を区画する枠面１６と、この枠面１６の前側（図１及び図２の紙面手前側）に第１の段差を有して隣接するように設けられた第１固定ステージ部２１と、第１固定ステージ部２１の前側に第２の段差を有して隣接するように設けられた第２固定ステージ部３５（図４参照）と、第２固定ステージ部３５の前側に第３の段差を有して隣接するように設けられた第３固定ステージ部３４と、第１固定ステージ部２１の下方に設けられた空間ｓｐ（図７参照）と第２固定ステージ部３５上面との間を図１及び図２の紙面手前−奥方向に進退移動する移動ステージ部２５とを備えている。なお、図２中の符号１９は演出用照明装置を示している（図５も併せて参照）。
【００３３】
また、移動ステージ部２５の突出状態を示す図３と移動ステージ部２５の退避状態を示す図４から理解できるように、枠面１６の左右方向中央部には、遊技盤面部７に打ち出された遊技球Ｂａを始動チャッカー１０に比較的高確率（略１００％）で入球させ得る始動チャッカー導入口２０が形成されている。上記第１固定ステージ部２１は、この始動チャッカー導入口２０に対応する部分が最も高く（つまり、始動チャッカー１０から最も高く離れて）形成され、かつ当該最も高い部分から左右に徐々に低く（符号２１ｂで示す）なった後、開口部１６ａの左右端に向かって再度高くなる、所謂波形状を呈している。更に第１固定ステージ部２１は、枠面１６から前側に最も離れた縁部における始動チャッカー導入口２０に対向する中央部分に、遊技球Ｂａの移動に規制を加える所定幅のリブ部２１ｃを備えている。
【００３４】
また、第１固定ステージ部２１の始動チャッカー導入口２０に対向する部位には、第１固定ステージ部２１の上面を左右方向（図９の矢印Ａ，Ｂ，Ｃ参照）に転動する遊技球Ｂａの移動速度が弱まった際に始動チャッカー導入口２０側に落下（図９の矢印Ｄ参照）し易くさせるための凹部２１ａが、始動チャッカー導入口２０側に切り欠いて形成されている。なお、図３及び図４における符号４８は、ワープ導入口１７（図２参照）から入球した遊技球Ｂａを第１固定ステージ部２１上に案内する球案内路であり、符号４８ａは、球案内路４８内を落下転動してきた遊技球Ｂａを第１固定ステージ部２１上に放出する放出口を示している。
【００３５】
また、移動ステージ部２５の上面は、中央部の最も高い部分（符号２５ａで示す）から左右に徐々に低く（符号２５ｂで示す）なった後、第２固定ステージ部３５の左右端に形成された切欠き部３３に向かって再度高くなる波形状を呈している。当該左右の切欠き部３３，３３は、枠面１６の左右端よりも中央寄り（つまり始動チャッカー導入口２０寄り）に形成されている。従って、移動ステージ部２５の上面は、いわば第１固定ステージ部２１よりも波長の短い波形状に構成されている。また、移動ステージ部２５の左右に設けられた上記低い部分２５ｂは何れも、パチンコ機前側に向かって若干低くなるように傾斜して形成されている。
【００３６】
一方、移動ステージ部２５の下面は、その上面と線対称の関係を有する波形状に構成されている。従って、この移動ステージ部下面を摺接支持する第２固定ステージ部３５は、当該移動ステージ部下面と合致する形状、即ち、中央部の最も低い部分（符号３５ａで示す）から左右に徐々に高く（符号３５ｂで示す）なった後、左右端の切欠き部３３に向かって再度低く（符号３５ｄで示す）なる、移動ステージ部上面の波形状と逆の関係の波形状を呈する。そして、第２固定ステージ部３５の左右の上記低い部分３５ｄは何れも、パチンコ機前側に向かって若干低くなるように傾斜して形成されている。
【００３７】
第２固定ステージ部３５は、第１固定ステージ部２１から前側に最も離れた縁部に、遊技球Ｂａの移動に規制を加えるリブ部３５ｃを備えている。このリブ部３５ｃは、左右の上記低い部分３５ｄと、中央部分の最も低い部分３５ａに対応する部分には形成されていない。そして、当該中央部分には、下方の入球案内部２６側への遊技球Ｂａの落下を容易にするための円弧状の切欠き３５ｅ（図９参照）が形成されている。
【００３８】
また、リブ部３５ｃにおける第１固定ステージ部２１側に向いた裏面３５ｆ（図１２の円内を参照）は、第１固定ステージ部２１に向かって下方に傾斜するように形成されている。これにより、移動ステージ部２５がその退避位置から、遊技球Ｂａを乗せた状態の第２固定ステージ部３５に向かって移動（進出）する際、当該固定ステージ部３５上の遊技球Ｂａを、リブ部３５ｃと移動ステージ部２５との間に噛み込むことなく、第３固定ステージ部３４側にスムーズに落下（図１３参照）させることができ、従って移動ステージ部２５の移動を妨げるような不具合の発生を確実に防止することができる。なお、図１２の円内には、上記移動ステージ部２５の移動状態を、図示の便宜上、あたかも第２固定ステージ部３５が移動ステージ部２５側に接近したように二点鎖線で表している。
【００３９】
そして、移動ステージ部２５は、第１固定ステージ部２１から前側に最も離れた縁部に、遊技球Ｂａの移動に規制を加える長尺のリブ部２５ｃを備えており、当該リブ部２５ｃにおける第１固定ステージ部２１側に向いた裏面は、第１固定ステージ部２１に向かって下方に傾斜するように形成されている。これにより、遊技球Ｂａを乗せた状態の移動ステージ部２５が第１固定ステージ部２１側に移動（後退）する際に、当該移動ステージ部２５上の遊技球Ｂａをリブ部２５ｃと第１固定ステージ部２１との間に噛み込んで移動ステージ部２５の移動を妨げるような不具合の発生を確実に防止できる。
【００４０】
また、長尺リブ部２５ｃは、第１固定ステージ部２１の低くなった部分（底部）２１ｂに対向する部分の高さが、他の部分よりも若干低く形成されている。これは例えば、図１８に示すように第１固定ステージ部２１の低部２１ｂ上に遊技球Ｂａ１が乗っている状態において、左端部上に他の遊技球Ｂａ２を乗せた状態の移動ステージ部２５が接近（図１８の矢印Ｎ参照）した際に、当該遊技球Ｂａ２が遊技球Ｂａ１を押しながら（図１８の矢印Ｌ参照）低部２１ｂ上に乗った（図１８の矢印Ｍ参照）後、移動ステージ部２５が低部２１ｂから離間したとき、長尺リブ部２５ｃにおける当該低部２１ｂに対向する部分が他の部分と同じ高さであると、遊技球Ｂａ２が遊技球Ｂａ１に接触しつつ移動ステージ部２５上に再度復帰し、この動作を繰り返す所謂ブリッジ現象が発生する問題を回避するためである。つまり、本実施の形態では、長尺リブ部２５ｃの低部２１ｂに対向する部分が他の部分よりも若干低く形成されていることにより、上述のように移動ステージ部２５が低部２１ｂに接近（図１９の矢印Ｏ参照）した際、図１９に示すように遊技球Ｂａ２がリブ部２５ｃを容易に乗り越えて（図１９の矢印Ｐ参照）落下することとなり、従って上記ブリッジ現象の発生が確実に防止される。
【００４１】
また、第２固定ステージ部３５の前側の第３固定ステージ部３４は、図３及び図４に示すように、正面視（図９も併せて参照）において左右から中央部に向かって円弧状に徐々に低くなる湾曲面として形成されている。そして、ブラケット部３０の、当該湾曲面にて高さが最も低い部分に対応する部分には、始動チャッカー導入口２０に連通する球放出口２７が形成されている。この球放出口２７は、後述する第１入球ルートに含まれるものであり、始動チャッカー１０の直上方に位置して、始動チャッカー導入口２０から導入されて落下する遊技球Ｂａを始動チャッカー１０に向けて放出する。
【００４２】
更に、第２固定ステージ部３５の前壁面における球放出口２７に対応する位置には、上述の空間ｓｐに連通する開口部３２が形成されており、この開口部３２内には、遊技球Ｂａを一旦受け止める凹部２６ａを中央部に備えた入球案内部２６が前後方向に進退移動可能に挿通されている。この入球案内部２６は、第２入球ルートに含まれるものであり、移動ステージ２５と一体成形されて一体的に移動するように構成され、かつ第２固定ステージ部３５上に進出（突出）する移動ステージ部２５によって始動チャッカー１０側に押し出された遊技球Ｂａを一旦保持し始動チャッカー１０に比較的高確率（略１００％）で入球させ得るように構成される。
【００４３】
また、第３固定ステージ部３４の前縁部には、左右端側から中央部近傍に亘って所定高さのリブ部３４ｅが形成されており、当該ステージ部３４における球放出口２７の左右部分には、リブ部３４ｅに案内されて入球案内部２６側に転動してきた遊技球Ｂａや、遊技球ステージＳの上部側から落下してくる遊技球Ｂａを、球放出口２７下方の始動チャッカー１０に入球し易くなるように導く傾斜面３４ａが形成されている。
【００４４】
更に、第３固定ステージ部３４における球放出口２７の上部には、移動ステージ部２５が第１固定ステージ部２１下側に退避した状態において第２固定ステージ部３５上から始動チャッカー１０側に落下する遊技球Ｂａの入球を妨げないようにする目的で略円弧状に切り欠いた切欠き３４ｃ，３４ｄが形成されている。
【００４５】
また、図１０、図１２及び図１３に示すように、始動チャッカー導入口２０と球放出口２７との間の球案内路２０ａの内面には、始動チャッカー導入口２０から導入されて球放出口２７に移動する遊技球Ｂａの速度を低減させる障害凸部４６（図３及び図４も併せて参照）が形成されている。
【００４６】
以上説明した遊技球ステージＳは、遊技盤面部７に打ち出された遊技球Ｂａを始動チャッカー１０に比較的高確率で入球させ得る始動チャッカー導入口２０を有する第１入球ルートと、始動チャッカー導入口２０に導入されず上記第１入球ルートを通過した遊技球Ｂａを受けて始動チャッカー１０への入球を再度行い得る第２入球ルートとを備えて構成される。
【００４７】
すなわち、上記第１入球ルートは、遊技盤面部７との相対移動を規制された上述の第１固定ステージ部２１を備えており、上記第２入球ルートは、第１固定ステージ部２１の前方側に所定の段差を有して隣接する上述の第２固定ステージ部３５と、該第２固定ステージ部３５上面と上記第１固定ステージ部２１下部との間で進退移動する上述の移動ステージ部２５とを備えて構成される。当該移動ステージ部２５は、第２固定ステージ部３５上面から第１固定ステージ部２１下方の空間ｓｐ内に一旦退避したとき第２固定ステージ部３５上面に移動した遊技球Ｂａを、空間ｓｐ内から第２固定ステージ部３５上面への進出時に始動チャッカー１０側に押し出すように機能する。
【００４８】
一方、図６及び図７に示すように、ステージユニット６には、移動ステージ部２５を進退駆動させるステージ駆動機構（ステージ駆動手段）４３と、このステージ駆動機構４３による移動ステージ部２５の移動速度を調整し得る速度調整手段４５を内蔵する制御部４４とが設けられている。当該制御部４４は、例えば、本パチンコ機１に備えた不図示のサブ制御基板（サブ基板）に設けられる。
【００４９】
なお、速度調整手段４５が、パルスモータ３７の回転角度を検出し、当該回転角度の検出に基づき、移動ステージ部２５を第２固定ステージ部３５上に最も進出させた状態で一旦停止させるように制御する構成とすることも可能である。この場合、移動ステージ部２５を同じ周期で単に進退移動させる場合に比して、より変化に富んだ遊技球ステージＳ上での遊技球Ｂａの流れ状況を提供することができる。
【００５０】
上記ステージ駆動機構４３は、遊技球ステージＳの右端部に配置されたパルスモータ３７と、該パルスモータ３７の回転を伝動するギヤ列３８、該ギヤ列３８の最終ギヤ３９ｆにおける偏心位置に植設されたボス状突起４２、並びに移動ステージ部２５と一体の入球案内部２６の底部に形成されてボス状突起４２と係合する左右方向に長い係合凹部２６ｂとを備えて構成される。この係合凹部２６ｂは、遊技機前後方向での寸法がボス状突起４２の外径寸法と略等しく設定されている。上記ギヤ列３８は、パルスモータ３７の回転軸３７ａ（図７参照）に連結された主動ギヤ３９ａに噛合する従動ギヤ３９ｂと、従動ギヤ３９ｂの回転を係合凹部２６ｂ側に順次伝動するように相互に噛合された従動ギヤ３９ｃ，３９ｄ，３９ｅ，３９ｆとから構成されている。これらの構成により、パルスモータ３７駆動時の回転が、移動ステージ部２５及び入球案内部２６の進退動作（直線運動）に変換される。
【００５１】
また、ギヤ列３８の従動ギヤ３９ｂ，３９ｃ，３９ｄ，３９ｅ，３９ｆと、パルスモータ３７及び主動ギヤ３９ａとが、パチンコ機１の左右方向（図１及び図７における左右方向）に一列状に配置されていることにより、ステージ駆動機構４３の奥行き（即ち、図７における上下方向の厚み）を小さくし、ステージユニット６の全体的な奥行き（即ち、図１及び図６における紙面手前−奥方向の厚み）を小さくして、装置コンパクト化が図られている。
【００５２】
また図７に示すように、ステージ駆動機構４３は更に、移動ステージ部２５のパチンコ機前後方向（図７の上下方向）でのスライド移動を案内するスライド機構４１を備えている。このスライド機構４１は、第１固定ステージ部２１の底部側（枠面１６の下側）において該第１固定ステージ部２１と一体に形成されて後方（同図上方）に突出するカバー部３６（図５及び図８も併せて参照）と、第２固定ステージ部３５とカバー部３６との間に渡されてパチンコ機前後方向に延在する金属製のスライド支持軸４０と、移動ステージ部２５の下部側に一体成形されてスライド支持軸４０に摺動自在に被嵌するスライド円筒部２５ｅとを備えて構成される。なお、図７中の符号３５ｇは、スライド支持軸４０の前端部（図７の上端部）を第２固定ステージ部３５側で受けるハブ状部を示している。
【００５３】
これらの構成により、移動ステージ部２５は、パルスモータ３７からギヤ列３８を介して伝達される回転運動がボス状突起４２及び係合凹部２６ｂによって変換された直線駆動力を受け、スライド支持軸４０に案内されるスライド円筒部２５ｅをカバー部３６の内方空間３６ａ内で進退させつつ、パチンコ機前後方向に進退移動する。また、上記スライド支持軸４０が金属材料から構成されているので、例えば、スライド支持軸４０が寸法精度を出しにくいプラスチック製からなる場合に比して公差をより小さくすることができ、従って、移動ステージ部２５のスライド移動時のガタを大幅に減少させて、高精度の進退動作を提供することができる。なお、上記スライド支持軸４０を構成する金属材料として、鉄材料を用いることがより好ましい。
【００５４】
したがって、以上の本実施形態におけるパチンコ機１では、皿ユニット１３上に遊技球が滞留している状態にて、遊技者が発射ハンドル９を握って図１の時計回り方向に適宜の角度回動させて保持すると、不図示の発射装置の作動によって遊技球Ｂａが遊技盤面部７に向けて打ち出される。すると、ガイドレール４９から遊技盤面部７上に放出された多数の遊技球Ｂａのうち、一部がワープ導入口１７から入球される。この際、遊技球ステージＳでは、移動ステージ部２５が、速度調整手段４５による制御で回転駆動されるパルスモータ３７の回転力に基づき、パチンコ機前後方向に一定の周期で進退移動している。当該移動ステージ部２５の進退動作は、遊技場の係員が開店に先立って電源をオン（ＯＮ）した時点から続けられている。
【００５５】
そして、ワープ導入口１７に入球した遊技球Ｂａは、球案内路４８を通って放出口４８ａから第１固定ステージ部２１上に放出された後、該第１固定ステージ部２１の波形状に準じて往復移動（図９の矢印Ａ，Ｂ，Ｃ参照）しつつ、その勢いを次第に失う。当該遊技球Ｂａは、その勢いが最も弱くなるタイミングで第１固定ステージ部２１上の凹部２１ａに差し掛かった場合に、該凹部２１ａに導かれて始動チャッカー導入口２０側に落下（図９の矢印Ｄ参照）できるが、そうでない場合は、図１４の矢印Ｈ，Ｈ１，Ｈ２で示すように、第１固定ステージ部２１の低部２１ｂから下方の移動ステージ部２５、第２固定ステージ部３５或いは第３固定ステージ部３４側に落下することになる。
【００５６】
上述のように始動チャッカー導入口２０側に導入された遊技球Ｂａは、図１０に示すように、球案内路２０ａの内面の障害凸部４６に接触しながら落下して球放出口２７に移動する速度を低減され、速度を適度に抑えられつつ球放出口２７から始動チャッカー１０に向けて放出される。これにより、当該遊技球Ｂａが、入球精度をより高められ、下方の始動チャッカー１０に比較的高確率（略１００％）で入球することになる。
【００５７】
また、第１固定ステージ部２１の低部２１ｂから進出状態の移動ステージ部２５上に落下した遊技球Ｂａは、その落下の方向と落下時の勢いに応じて移動ステージ部２５に沿って転動した場合、当該移動ステージ部２５が第１固定ステージ部２１側に退避する際に該ステージ部２１の前壁で前側に押圧されてリブ部２１ｃを乗り越えさせられ、その時点で露出した第２固定ステージ部３５上に落下する。
【００５８】
また、上述のように移動ステージ部２５の退避時に該ステージ部２５から第２固定ステージ部３５上に落下した遊技球Ｂａや、移動ステージ部２５の退避状態で露出していた第２固定ステージ部３５上に直接的に落下した遊技球Ｂａは、その落下の方向と落下時の勢いに応じて第２固定ステージ部３５に沿って転動した場合、或るものはリブ部３５ｃが途切れた低い部分３５ｄから第３固定ステージ部３４側に落下する。そして、或るものは中央部分の最も低い部分３５ａで停止した後、その際の動きの方向に応じて切欠き３５ｅから自重落下し、または再び進出してくる移動ステージ部２５に押圧されて切欠き３５ｅから落下する。
【００５９】
この際、図１１に示すように、自重落下した遊技球Ｂａは、退避した入球案内部２６にやや接触するものの、略円弧状の切欠き３４ｃ，３４ｄ及び球放出口２７の前方を接触することなく垂直に落下し、下方の始動チャッカー１０に比較的高確率（略１００％）で入球することになる（図１６の矢印Ｊ１方向のＢａ１参照）。また、移動ステージ部２５に押圧されて切欠き３５ｅから落下した遊技球Ｂａは、移動ステージ部２５と共に進出した入球案内部２６の凹部２６ａ内に一旦受け止められた後、下方の始動チャッカー１０に、より高い精度で入球することになる（図１６の矢印Ｊ１方向のＢａ１参照）。
【００６０】
一方、上述した低い部分３５ｄから第３固定ステージ部３４に落下した遊技球Ｂａは、図１５に示すように、リブ部３４ｅの途切れた位置で入球案内部２６の側面に衝突し（図１６の矢印Ｊ２方向のＢａ２、矢印Ｊ３方向のＢａ３参照）、傾斜面３４ａに沿って落下（図１５の矢印Ｉ参照）することになる。また、第１固定ステージ部２１の低部２１ｂから進出状態の移動ステージ部２５上に落下した際にバウンドして第３固定ステージ部３４上に落下した遊技球Ｂａも、図１７に示すように、第３固定ステージ部３４上を同図矢印Ｋに転動して入球案内部２６の側面に衝突し、傾斜面３４ａに沿って落下することになる。これらの際、遊技球Ｂａは、その落下方向が、始動チャッカー１０上の所謂命釘（図示せず）の間を通過して入球し得る方向とは異なるが、当該命釘の左右に打ち込まれた所謂ジャンプ釘（図示せず）や、当該ジャンプ釘から左右方向に配列された所謂道釘（図示せず）で弾かれることにより、命釘に絡んでその間を落下し始動チャッカー１０に入球する場合もある。
【００６１】
また、遊技球ステージＳ上には、ワープ導入口１７から入球した遊技球Ｂａに限らず、遊技球ステージＳの下方に列状に配列された不図示の障害釘（道釘等）で弾き返された遊技球Ｂａが落下することもあるが、その場合の当該遊技球Ｂａも、上述と同様の流れで遊技球ステージＳ上を移動することとなる。
【００６２】
以上の本実施形態によれば、遊技球ステージＳが、遊技盤面部７に打ち出された遊技球Ｂａを始動チャッカー１０に比較的高確率で入球させ得る始動チャッカー導入口２０を有する第１入球ルートと、始動チャッカー導入口２０に導入されず上記第１入球ルートを通過した遊技球Ｂａを受けて始動チャッカー１０への入球を再度行い得る第２入球ルートとを備えるので、たとえ第１入球ルートで始動チャッカー導入口２０に入球できなかったとしても、移動ステージ部２５の進退動作等に起因して緩やかに落下移動する過程の中で、遊技球Ｂａが偶然的に中央寄りに移動させられた場合、始動チャッカー１０への入球を比較的高確率で再度試みることができるようになる。従って、遊技球ステージＳ上で始動チャッカー１０への導入タイミングを逸した遊技球Ｂａであっても、始動チャッカー１０への入球に対する期待感を持続させ、遊技性を向上させることができる。
【００６３】
また、第１入球ルートにおいて第１固定ステージ部２１からその前方側の第２固定ステージ部３５に落下した遊技球Ｂａを、第１固定ステージ部２１下方の空間ｓｐ内から第２固定ステージ部３５上面に進出する移動ステージ部２５によって始動チャッカー１０側に押し出すことができるので、第１入球ルートから第２入球ルートへの遊技球の移動状況に適宜変化を与えて、遊技性をより高めることができる。
【００６４】
更に、第２入球ルートが、移動ステージ２５と一体的に移動するように構成され、かつ第２固定ステージ部３５上面に進出する移動ステージ部２５によって始動チャッカー１０側に押し出された遊技球Ｂａを一旦保持し始動チャッカー１０に比較的高確率で入球させ得る入球案内部２６を備えるので、第１入球ルートにて始動チャッカー１０への導入チャンスを逸した遊技球Ｂａを、第２入球ルートにおける入球案内部２６により比較的高確率で始動チャッカー１０に再度導き、当該遊技球Ｂａの始動チャッカー１０に対する入球の期待感を繰り返し遊技者に与えることができ、遊技性をより高めることができる。
【００６５】
そして、速度調整手段４５によって、移動ステージ部２５を進退駆動させるステージ駆動機構４３による移動ステージ部２５の移動速度を調整し得るので、例えば、出荷に向けたパチンコ機１の製作時に、速度調整手段４５による移動ステージ部２５の移動速度を適切に調整することにより、入球案内部２６に対する遊技球案内時の振り分け率を適宜変化させ、遊技性をより高めるようにすることができる。
【００６６】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００６７】
【図１】本発明の実施形態におけるパチンコ機の外部構造を示す正面図である。
【図２】遊技球ステージを有するステージユニットを単体で示す斜視図である。
【図３】ステージユニットの遊技球ステージ及びその近傍を示す一部断面した斜視図である。
【図４】遊技球ステージ及びその近傍を別の状態で示す一部断面した斜視図である。
【図５】遊技球ステージ及びその近傍を示す一部断面した平面図である。
【図６】遊技球ステージ及びその近傍の内部構造を露出状態で示した斜視図である。
【図７】遊技球ステージを底面側から見た状態で示す底面図である。
【図８】遊技球ステージの中央部分を示す縦断面図である。
【図９】遊技球ステージを示す正面図である。
【図１０】遊技球ステージの中央部分を示す縦断面図である。
【図１１】遊技球ステージを示す正面図である。
【図１２】遊技球ステージの中央部分を示す縦断面図である。
【図１３】遊技球ステージの中央部分を示す縦断面図である。
【図１４】遊技球ステージを一部破断して示す正面図である。
【図１５】遊技球ステージを一部破断して示す正面図である。
【図１６】遊技球ステージにおける遊技球の動きの変化を示す平面図である。
【図１７】遊技球ステージにおける遊技球の動きの変化を示す平面図である。
【図１８】遊技球ステージを上側から見た状態で遊技球の動きを示す平面図である。
【図１９】遊技球ステージを上側から見た状態で遊技球の動きを示す平面図である。
【符号の説明】
【００６８】
１…パチンコ機（遊技機）
６…ステージユニット
７…遊技盤面部
１０…始動チャッカー
１７…ワープ導入口
２０…始動チャッカー導入口
２１…第１固定ステージ部
２５…移動ステージ部
２５ｃ…長尺のリブ部
２６…入球案内部
２７…球放出口
３５…第２固定ステージ部
３７…パルスモータ
４０…スライド支持軸
４１…スライド機構
４３…ステージ駆動機構（ステージ駆動手段）
４４…制御部
４５…速度調整手段
４６…障害凸部
Ｂａ…遊技球
Ｓ…遊技球ステージ
ｓｐ…空間
【図１】
2005237786.tif 000003
【図２】
2005237786.tif 000004
【図３】
2005237786.tif 000005
【図４】
2005237786.tif 000006
【図５】
2005237786.tif 000007
【図６】
2005237786.tif 000008
【図７】
2005237786.tif 000009
【図８】
2005237786.tif 000010
【図９】
2005237786.tif 000011
【図１０】
2005237786.tif 000012
【図１１】
2005237786.tif 000013
【図１２】
2005237786.tif 000014
【図１３】
2005237786.tif 000015
【図１４】
2005237786.tif 000016
【図１５】
2005237786.tif 000017
【図１６】
2005237786.tif 000018
【図１７】
2005237786.tif 000019
【図１８】
2005237786.tif 000020
【図１９】
2005237786.tif 000021